(57)【要約】【課題】音源出力装置のスピーカー単体から音声が放出されると、薄膜が同時に音声の振動を受け、音源出力装置内に共鳴を起こし、低音を一層柔らかくするほか、更に音域の幅を有効に広くすることが出来る薄膜式音源出力装置を提供する。【解決手段】音源出力装置に設置された薄膜を利用したもので、音源出力装置の任意の一方に一個以上のスピーカー単体又はカバー付きスピーカー単体を設置し、且つ音源出力装置の内側面・外側面の任意の一箇所又は複数箇所に一個以上の薄膜を設け、或いは一個以上の薄膜を結合した結合部材を音源出力装置の任意の内側面・外側面の任意の一箇所又は複数箇所に設置して、本発明薄膜式音源出力装置を形成する。【選択図】  図８Ｂ
2008160783.tif 000002
【特許請求の範囲】
【請求項１】
任意の軟性又は弾性材質を有する材料で形成された薄膜を、一種類以上の適当な形式で各種類型の音源出力装置或いは各種類型の音声関連製品の適当な位置に結合したことを特徴とする薄膜式音源出力装置。
【請求項２】
前記薄膜の設置方式は、一個以上の薄膜を、少なくとも一種類以上の形式で任意の適当な位置に結合し、且つ相互に組み合わせて応用し、各種類型の音源出力装置或いは各種類型の音声関連製品の音源出力装置に等価実施できることを特徴とする請求項１に記載の薄膜式音源出力装置。
【請求項３】
カバー付きスピーカー単体を含み、前記カバー付きスピーカー単体の前側面・後側面又は任意の一側面の  一箇所又は複数箇所に少なくとも一個以上の薄膜を設置したことを特徴とする薄膜式音源出力装置。
【請求項４】
前記カバー付きスピーカー単体の周縁の任意の方向へ板体を延伸設置することによってカバー付きスピーカーボックスを形成したことを特徴とする請求項３に記載の薄膜式音源出力装置。
【請求項５】
前記薄膜は、少なくとも一個以上の薄膜を音源出力装置に結合した構造を、複合材料一体射出成型方式で設置されてよいことを特徴とする請求項３又は請求項４に記載の薄膜式音源出力装置。
【請求項６】
前記薄膜は、任意の軟性又は弾性材質を有する材料で作られてよいことを特徴とする請求項３に記載の薄膜式音源出力装置。
【請求項７】
前記薄膜は、各種類型の音源出力装置或いは各種類型の音声関連製品の音源出力装置に応用してよいことを特徴とする請求項３に記載の薄膜式音源出力装置。
【請求項８】
薄膜を有するスピーカーボックスと、一個以上のスピーカー単体と、を含み、前記一個以上のスピーカー単体の周縁に任意の一方向へ板体を延伸設置し、且つ板体の任意の一方の任意の一箇所又は複数箇所に少なくとも一個以上の通気孔を形成し、更に通気孔の内側面・外側面の任意の一方の任意の一箇所又は複数箇所に少なくとも一個以上の薄膜を設置してよいことを特徴とする薄膜式音源出力装置。
【請求項９】
前記薄膜を有するスピーカーボックスは、箱体内の任意の一側面の任意の一箇所又は複数箇所に凹設した収容槽の中に設置してよいことを特徴とする請求項８に記載の薄膜式音源出力装置。
【請求項１０】
前記薄膜は、少なくとも一個以上の薄膜を音源出力装置に結合した構造を、複合材料一体射出成型方式で設置されてよいことを特徴とする請求項８又は請求項９に記載の薄膜式音源出力装置。
【請求項１１】
前記スピーカー単体は、カバー付きスピーカー単体で代替してよいことを特徴とする請求項８又は請求項９に記載の薄膜式音源出力装置。
【請求項１２】
前記薄膜は、任意の軟性又は弾性材質を有する材料で作られてよいことを特徴とする請求項８に記載の薄膜式音源出力装置。
【請求項１３】
前記薄膜は、各種類型の音源出力装置或いは各種類型の音声関連製品の音源出力装置に応用してよいことを特徴とする請求項８に記載の薄膜式音源出力装置。
【請求項１４】
薄膜を有するスピーカーボックスと、一個以上のスピーカー単体を含み、前記一個以上のスピーカー単体の前側の任意の一箇所又は複数箇所に少なくとも一個以上の薄膜を設置し、且つスピーカー単体周縁に任意の一方向へ板体を延伸設置してよいことを特徴とする薄膜式音源出力装置。
【請求項１５】
前記薄膜を有するスピーカーボックスは、箱体内の任意の一側面の任意の一箇所又は複数箇所に凹設された収容槽の中に設置してよいことを特徴とする請求項１４に記載の薄膜式音源出力装置。
【請求項１６】
前記薄膜は、少なくとも一個以上の薄膜を音源出力装置に結合した構造を、複合材料一体射出成型方式で設置されてよいことを特徴とする請求項１４又は請求項１５に記載の薄膜式音源出力装置。
【請求項１７】
前記スピーカー単体は、カバー付きスピーカー単体で代替してよいことを特徴とする請求項１４又は請求項１５に記載の薄膜式音源出力装置。
【請求項１８】
前記薄膜は、任意の軟性又は弾性材質を有する材料で作られてよいことを特徴とする請求項１４に記載の薄膜式音源出力装置。
【請求項１９】
前記薄膜は、各種類型の音源出力装置或いは各種類型の音声関連製品の音源出力装置に応用してよいことを特徴とする請求項１４に記載の薄膜式音源出力装置。
【請求項２０】
薄膜を有するスピーカーボックスと、一個以上のスピーカー単体と、を含み、前記一個以上のスピーカー単体の周縁に任意の一側面方向へ板体を延伸設置し、更に板体内側面の任意の一方の任意の一箇所又は複数箇所に一個以上の薄膜を設置してよいことを特徴とする薄膜式音源出力装置。
【請求項２１】
前記薄膜を有するスピーカーボックスは、箱体内の任意の一側面の任意の一箇所又は複数箇所に凹設された収容槽の中に設置してよいことを特徴とする請求項２０に記載の薄膜式音源出力装置。
【請求項２２】
前記薄膜は、少なくとも一個以上の薄膜を音源出力装置に結合した構造を、複合材料一体射出成型方式で設置されてよいことを特徴とする請求項２０に記載の薄膜式音源出力装置。
【請求項２３】
前記スピーカー単体は、カバー付きスピーカー単体で代替してよいことを特徴とする請求項２０に記載の薄膜式音源出力装置。
【請求項２４】
前記薄膜は、任意の軟性又は弾性材質を有する材料で作られてよいことを特徴とする請求項２０に記載の薄膜式音源出力装置。
【請求項２５】
前記薄膜は、各種類型の音源出力装置或いは各種類型の音声関連製品の音源出力装置に応用してよいことを特徴とする請求項２０に記載の薄膜式音源出力装置。
【請求項２６】
箱体を含み、前記箱体の任意の一側面の任意の一箇所又は複数箇所に内へ向かって少なくとも一個以上の収容槽を凹設して形成し、且つ収容槽の内側面・外側面の任意の一方の任意の一箇所又は複数箇所に少なくとも一個以上の薄膜を設置し、更に一個以上のスピーカー単体を正方向又は反対方向に収容槽の中に設置したことを特徴とする薄膜式音源出力装置。
【請求項２７】
前記薄膜は、少なくとも一個以上の薄膜を音源出力装置に結合した構造を、複合材料一体射出成型方式で設置されてよいことを特徴とする請求項２６に記載の薄膜式音源出力装置。
【請求項２８】
前記スピーカー単体は、カバー付きスピーカー単体で代替してよいことを特徴とする請求項２６に記載の薄膜式音源出力装置。
【請求項２９】
前記薄膜は、任意の軟性又は弾性材質を有する材料で作られてよいことを特徴とする請求項２６に記載の薄膜式音源出力装置。
【請求項３０】
前記薄膜は、各種類型の音源出力装置或いは各種類型の音声関連製品の音源出力装置に応用してよいことを特徴とする請求項２６に記載の薄膜式音源出力装置。
【請求項３１】
箱体を含み、前記箱体の任意の一側面の任意の一箇所又は複数箇所に内へ向かって少なくとも一個以上の収容槽を凹設して形成し、且つ収容槽の内側面の任意の一方の任意の一箇所又は複数箇所に少なくとも一個以上の薄膜を設置し、更に一個以上のスピーカー単体を正方向又は反対方向に収容槽の中に設置したことを特徴とする薄膜式音源出力装置。
【請求項３２】
前記薄膜は、少なくとも一個以上の薄膜を音源出力装置に結合した構造を、複合材料一体射出成型方式で設置されてよいことを特徴とする請求項３１に記載の薄膜式音源出力装置。
【請求項３３】
前記スピーカー単体は、カバー付きスピーカー単体で代替してよいことを特徴とする請求項３１に記載の薄膜式音源出力装置。
【請求項３４】
前記薄膜は、任意の軟性又は弾性材質を有する材料で作られてよいことを特徴とする請求項３１に記載の薄膜式音源出力装置。
【請求項３５】
前記薄膜は、各種類型の音源出力装置或いは各種類型の音声関連製品の音源出力装置に応用してよいことを特徴とする請求項３１に記載の薄膜式音源出力装置。
【請求項３６】
箱体を含み、前記箱体の任意の一側面の任意の一箇所又は複数箇所に内へ向かって少なくとも一個以上の収容槽を凹設して形成し、更に一個以上のスピーカー単体を正方向又は反対方向に収容槽の中に設置し、更に少なくとも一個以上の薄膜をスピーカー単体の前側又は後側の任意の一方の任意の一箇所又は複数箇所に設置したことを特徴とする薄膜式音源出力装置。
【請求項３７】
前記薄膜は、少なくとも一個以上の薄膜を音源出力装置に結合し構造を、複合材料一体射出成型方式で設置されてよいことを特徴とする請求項３６に記載の薄膜式音源出力装置。
【請求項３８】
前記スピーカー単体は、カバー付きスピーカー単体で代替してよいことを特徴とする請求項３６に記載の薄膜式音源出力装置。
【請求項３９】
前記薄膜は、任意の軟性又は弾性材質を有する材料で作られてよいことを特徴とする請求項３６に記載の薄膜式音源出力装置。
【請求項４０】
前記薄膜は、各種類型の音源出力装置或いは各種類型の音声関連製品の音源出力装置に応用してよいことを特徴とする請求項３６に記載の薄膜式音源出力装置。
【請求項４１】
箱体を含み、前記箱体の任意の一側面の任意の一箇所又は複数箇所に少なくとも一個以上のスピーカー単体を正方向又は反対方向に設置し、且つ箱体内・外側の任意の一方の任意の一箇所又は複数箇所に少なくとも一個以上の支持架を設置し、且つ前記支持架に、一個以上の通気孔を開設又は開設しなくてよく、支持架の任意の一方の任意の一箇所又は複数箇所に一個以上の薄膜を設置したことを特徴とする薄膜式音源出力装置。
【請求項４２】
前記薄膜は、少なくとも一個以上の薄膜を音源出力装置に結合した構造を、複合材料一体射出成型方式で設置されてよいことを特徴とする請求項４１に記載の薄膜式音源出力装置。
【請求項４３】
前記スピーカー単体は、カバー付きスピーカー単体で代替してよいことを特徴とする請求項４１に記載の薄膜式音源出力装置。
【請求項４４】
前記薄膜は、任意の軟性又は弾性材質を有する材料で作られてよいことを特徴とする請求項４１に記載の薄膜式音源出力装置。
【請求項４５】
前記薄膜は、各種類型の音源出力装置或いは各種類型の音声関連製品の音源出力装置に応用してよいことを特徴とする請求項４１に記載の薄膜式音源出力装置。
【請求項４６】
箱体を含み、前記箱体の任意の一側面の任意の一箇所又は複数箇所に少なくとも一個以上のスピーカー単体を正方向又は反対方向に設置し、且つ箱体内の任意の一方の任意の一箇所又は複数箇所に少なくとも一個以上の薄膜を設置したことを特徴とする薄膜式音源出力装置。
【請求項４７】
前記薄膜は、局部的に固定又は完全に固定して箱体内に設置してよいことを特徴とする請求項４６に記載の薄膜式音源出力装置。
【請求項４８】
前記薄膜は、固定しないで箱体内に設置してよいことを特徴とする請求項４６に記載の薄膜式音源出力装置。
【請求項４９】
前記一個以上の薄膜は、一個以上の結合部材と結合し、且つ結合部材を有する薄膜を箱体内に設置してよいことを特徴とする請求項４６に記載の薄膜式音源出力装置。
【請求項５０】
前記結合部材を有する薄膜は、局部的に又は完全に固定して箱体内に設置してよいことを特徴とする請求項４９に記載の薄膜式音源出力装置。
【請求項５１】
前記結合部材を有する薄膜は、固定しないで箱体内に設置してよいことを特徴とする請求項４９に記載の薄膜式音源出力装置。
【請求項５２】
前記薄膜は、少なくとも一個以上の薄膜を音源出力装置に結合した構造を、複合材料一体射出成型方式で設置されてよいことを特徴とする請求項４７又は請求項５０に記載の薄膜式音源出力装置。
【請求項５３】
前記スピーカー単体は、カバー付きスピーカー単体で代替してよいことを特徴とする請求項４６に記載の薄膜式音源出力装置。
【請求項５４】
前記薄膜は、任意の軟性又は弾性材質を有する材料で作られてよいことを特徴とする請求項４６に記載の薄膜式音源出力装置。
【請求項５５】
前記薄膜は、各種類型の音源出力装置或いは各種類型の音声関連製品の音源出力装置に応用してよいことを特徴とする請求項４６に記載の薄膜式音源出力装置。
【請求項５６】
箱体を含み、前記箱体の任意の一側面の任意の一箇所又は複数箇所に少なくとも一個以上のスピーカー単体を正方向又は反対方向に設置し、且つ箱体の任意の一側面の任意の一箇所又は複数箇所に少なくとも一個以上の通気孔を設置し、更に通気孔内側面又は外側面の任意の一方の任意の一箇所又は複数箇所に少なくとも一個以上の薄膜を設置してよいことを特徴とする薄膜式音源出力装置。
【請求項５７】
前記通気孔の外側面に保護カバー体を対応設置してよいことを特徴とする請求項５６に記載の薄膜式音源出力装置。
【請求項５８】
前記通気孔の内側面の任意の一箇所又は複数箇所に一個以上の凸柱を内へ向かって延伸設置し、更に一個以上の薄膜を結合した結合部材を前記凸柱に嵌着してよいことを特徴とする請求項５６に記載の薄膜式音源出力装置。
【請求項５９】
前記通気孔の外側面の任意の一箇所又は複数箇所に一個以上の凸柱を外へ向かって延伸設置し、更に一個以上の薄膜を結合した結合部材を前記凸柱に嵌着してよいことを特徴とする請求項５６に記載の薄膜式音源出力装置。
【請求項６０】
前記通気孔の外側面に保護カバー体を対応設置してよいことを特徴とする請求項５９に記載の薄膜式音源出力装置。
【請求項６１】
前記箱体内の任意の一方の任意の一箇所又は複数箇所に少なくとも一個以上の仕切り板を設置してよいことを特徴とする請求項５６又は５８又は５９に記載の薄膜式音源出力装置。
【請求項６２】
前記薄膜は、少なくとも一個以上の薄膜を音源出力装置に結合し構造を、複合材料一体射出成型方式で設置されてよいことを特徴とする請求項５６に記載の薄膜式音源出力装置。
【請求項６３】
前記スピーカー単体は、カバー付きスピーカーで代替してもよいことを特徴とする請求項５６に記載の薄膜式音源出力装置。
【請求項６４】
前記薄膜は、任意の軟性又は弾性材質を有する材料で作られてよいことを特徴とする請求項５６に記載の薄膜式音源出力装置。
【請求項６５】
前記薄膜は、各種類型の音源出力装置或いは各種類型の音声関連製品の音源出力装置に応用してよいことを特徴とする請求項５６に記載の薄膜式音源出力装置。
【請求項６６】
一個以上のスピーカー単体及びイヤホン構成部材によって組成され、前記イヤホン構成部材の内側面・外側面の任意の一方の任意の一箇所又は複数箇所に一個以上の薄膜を設置したことを特徴とする薄膜式音源出力装置。
【請求項６７】
前記薄膜の設置方式は、一個以上の薄膜を少なくとも一種類以上の形式で任意の適当な位置に結合し、且つ相互に組み合わせて応用し、各種類型のイヤホンに等価実施してよいことを特徴とする請求項６６に記載の薄膜式音源出力装置。
【請求項６８】
前記薄膜は、スピーカー単体とイヤホンケースの間の任意の一箇所又は複数箇所に設置してよいことを特徴とする請求項６６に記載の薄膜式音源出力装置。
【請求項６９】
前記薄膜は、イヤホンネットカバーとスピーカー単体の間の任意の一箇所又は複数箇所に設置してよいことを特徴とする請求項６６に記載の薄膜式音源出力装置。
【請求項７０】
前記薄膜は、イヤホンネットカバー外側面の任意の一箇所又は複数箇所に設置してよいことを特徴とする請求項６６に記載の薄膜式音源出力装置。
【請求項７１】
前記イヤホン構成部材には、一個以上の通気孔を開設し、前記通気孔の内側面又は外側面の任意の一方の任意の一箇所又は複数箇所に一個以上の薄膜を設置してよいことを特徴とする請求項６６に記載の薄膜式音源出力装置。
【請求項７２】
前記イヤホン構成部材は、イヤホンケース・イヤホン管体・耳掛け式管体又はその他中空の構造体であってよいことを特徴とする請求項７１に記載の薄膜式音源出力装置。
【請求項７３】
前記薄膜は、少なくとも一個以上の薄膜を音源出力装置に結合した構造を、複合材料一体射出成型方式で設置されてよいことを特徴とする請求項６６に記載の薄膜式音源出力装置。
【請求項７４】
前記薄膜は、任意の軟性又は弾性材質を有する材料で作られてよいことを特徴とする請求項６６に記載の薄膜式音源出力装置。
【請求項７５】
前記スピーカー単体は、カバー付きスピーカーで代替してもよいことを特徴とする請求項６６に記載の薄膜式音源出力装置。
【請求項７６】
前記スピーカー単体は、正方向又は反対方向にイヤホン内に設置してよいことを特徴とする請求項６６に記載の薄膜式音源出力装置。
【発明の詳細な説明】
【技術分野】
【０００１】
本発明は、薄膜式音源出力装置、特に音源出力装置の内側面・外側面の任意の一箇所又は複数箇所に一個以上の軟性又は弾性材質の薄膜を設置して、音源出力装置から出る低音を一層柔らかくし、音域の幅を一層広くする効果を有する薄膜式音源出力装置に関するものである。
【背景技術】
【０００２】
一般的に、市場には各種のスピーカーボックスが売られているが、従来のスピーカーボックスの構造は、ボックスの前側に一個以上のスピーカー単体を設置し、スピーカー単体が作動し始めると、その音声を放出し、ユーザーが各種類型の音楽の響きを楽しめるようにしたものに他ならない。
しかしながら、従来のスピーカーボックスでは、その大多数が音声部分を有効に発揮できず、スピーカーボックスの音声に対する共鳴も不足勝ちで、その音声の音域もあまり幅広くない；だから、ユーザーが大枚の無駄金を使っても、ハイクラスの音質を楽しむことは出来ない。
このように、上述従来の物品には、なお幾多の欠点があり、よい設計とは言い難く、改良が待たれていた。
本案発明者は、上述従来物品に派生する各種の欠点に鑑み、極力新規改善を試み、且つ長年苦心研鑽の末、ついに本発明薄膜式音源出力装置の研究開発に成功した。
【発明の開示】
【発明が解決しようとする課題】
【０００３】
本発明の目的は、任意の軟性又は弾性材質からなる材料によって作られた薄膜を、音源出力装置の内・外側の任意の一方の任意の一箇所又は複数箇所、或いは一個以上の薄膜を結合した結合部材を、音源出力装置の内・外側の任意の一方の任意の一箇所又は複数箇所に設置することによって、音源出力装置から出る低音を一層柔らかくし、音域の幅を一層広くすることの出来る薄膜式音源出力装置を提供することにある。
本発明のもう一つの目的は、各種類型の音源出力装置に応用でき、或いは音声に関連する各種類型の製品にも使用でき、製品の音質・音響効果・音域の表現力を向上させ、製品の普及性・実施性及び実用性を増進させることの出来る薄膜式音源出力装置を提供することにある。
本発明の又もう一つの目的は、構造が簡単で、製造工程が簡便且つ低コストの薄膜式音源出力装置を提供することにある。
【課題を解決するための手段】
【０００４】
上述発明目的を達成できる薄膜式音源出力装置は、音源出力装置と、スピーカー単体及び薄膜などの構成部材からなり；前記音源出力装置の任意の一方に一個以上のスピーカー単体又はカバー付きスピーカー単体を設置し、且つ音源出力装置の内側面・外側面の任意の一方の任意の一箇所又は複数箇所に一個以上の薄膜を設置し、或いは薄膜を結合した結合部材を、音源出力装置の内側面・外側面の任意の一箇所又は複数箇所に設置することによって本発明の薄膜式音源出力装置を形成する；本発明は、音源出力装置の上に設置された薄膜を利用して、音源出力装置のスピーカー単体から音声が放出されると共に薄膜が音声の振動を受けることによって、音源出力装置内に共鳴が起こり、低音が一層柔らかくなるほか、更に音域の幅を有効に広くすることが出来る。
【発明の効果】
【０００５】
本発明に係る薄膜式音源出力装置は、その他従来の技術に比べ、更に下記のような長所がある、
1．     本発明は、任意の軟性又は弾性を有する材質からなる材料で作った薄膜を音源出力装置の内側・外側の任意の一方の任意の一箇所又は複数箇所に設置し、或いは一個以上の薄膜を結合した結合部材を、音源出力装置の内側・外側の任意の一方の任意の一箇所又は複数箇所に設置することによって、音源出力装置に一層柔らかい低音並びに一層幅広い音域をもたらすことが出来る。
2．     本発明は、各種類型の音源出力装置に応用でき、或いは各種類型の音声と関連する製品に使用することによって、各製品の音質・音響効果・音域を効果的に向上させ、製品の普及性・実施性及び実用性を増進することが出来る。
3．     本発明のもう一つの効果は、構造が簡単で、製造工程が簡便且つ低コストの薄膜式音源出力装置を提供することが出来る。
【発明を実施するための最良の形態】
【０００６】
図１Ａは、本発明に係る薄膜式音源出力装置の第一実施例の側面断面図である；本装置は、主として、カバー付きスピーカー単体１を含み、前記カバー付きスピーカー単体１の側面の任意の一箇所又は複数箇所に少なくとも一個以上の薄膜２を設置してある；前記薄膜２は、任意の軟性又は弾性材質からなる材料によって作られたものである；
上述構成部材の組成によって、本発明に係る薄膜式音源出力装置を形成し、カバー付きスピーカー単体１から音声が放出されると、この薄膜２がカバー付きスピーカー単体１の音声の振動を受けて振動し始めることによって、音源出力装置内に音声共鳴を起こし、低音部分を一層柔らかく且つ音域の幅を一層広くする効果をもたらす。
【０００７】
図１Ｂおよび図１Ｃは、本発明に係る薄膜式音源出力装置の第一実施例の側面断面図である；本装置は、カバー付きスピーカー単体１を含み、前記カバー付きスピーカー単体１の前側又は後側に少なくとも一個以上の薄膜２を設置してよい；前記薄膜２は、任意の軟性又は弾性材質からなる材料によって作られたものである；
上述構成部材の組成によって、本発明に係る薄膜式音源出力装置を形成する。
【０００８】
図２Ａは、本発明に係る薄膜式音源出力装置の第二実施例の側面断面図である；本装置は、カバー付きスピーカーボックス３を含み、前記カバー付きスピーカーボックス３には、少なくとも一個以上の薄膜２を有するカバー付きスピーカー単体１の周縁後方へ向かって任意の一方へ延伸して設けた板体４を具えている；前記薄膜２は、任意の軟性又は弾性材質からなる材料によって作られたものである；
上述構成部材の組成によって、本発明に係る薄膜式音源出力装置を形成する。
【０００９】
図２Ｂは、本発明に係る薄膜式音源出力装置の第二実施例の側面断面図である；本装置は、カバー付きスピーカーボックス３を含み、前記カバー付きスピーカーボックス３には、少なくとも一個以上の薄膜２を有するカバー付きスピーカー単体１を反対方向に設け、且つその周縁前方へ向かって任意の一方へ延伸して設けた板体４を具えている；前記薄膜２は、任意の軟性又は弾性材質からなる材料によって作られたものである；
上述構成部材の組成によって、本発明に係る薄膜式音源出力装置を形成する。
【００１０】
図３Ａは、本発明に係る薄膜式音源出力装置の第三実施例の側面断面図である；本装置は、主として、薄膜を有するスピーカーボックス２３を含み、スピーカー単体５の周縁後方に向かって任意の一方へ延伸して設けた板体４を具え、且つ前記板体４の任意の一箇所又は複数箇所に、少なくとも一個以上の通気孔６を形成し、更に通気孔６の内側面・外側面の任意の一方の任意の一箇所又は複数箇所に、少なくとも一個以上の薄膜２を設けてよい；前記薄膜２は、任意の軟性又は弾性材質からなる材料によって作られたものである；
上述構成部材の組成によって、本発明に係る薄膜式音源出力装置を形成する。
【００１１】
図３Ｂは、本発明に係る薄膜式音源出力装置の第三実施例の側面断面図である；本装置は、主として、薄膜を有するスピーカーボックス２３を含み、スピーカー単体５の前側に少なくとも一個以上の薄膜２を設けてよく、更にスピーカー単体５の周縁後方に向かって延伸して設けた板体４を具えている；前記薄膜２は、任意の軟性又は弾性材質からなる材料によって作られたものである；
上述構成部材の組成によって、本発明に係る薄膜式音源出力装置を形成する。
【００１２】
図３Ｃは、本発明に係る薄膜式音源出力装置の第三実施例の側面断面図である；本装置は、主として、薄膜を有するスピーカーボックス２３を含み、スピーカー単体５の周縁前方に向かって任意の一方へ延伸して設けた板体４を具え、且つ前記板体４の任意の一箇所又は複数箇所に、少なくとも一個以上の通気孔６を形成し、更に通気孔６の内側面・外側面の任意の一方の任意の一箇所又は複数箇所に、少なくとも一個以上の薄膜２を設けてよい；前記薄膜２は、任意の軟性又は弾性材質からなる材料によって作られたものである；
上述構成部材の組成によって、本発明に係る薄膜式音源出力装置を形成する。
【００１３】
図３Ｄは、本発明に係る薄膜式音源出力装置の第三実施例の側面断面図である；本装置は、主として、薄膜を有するスピーカーボックス２３を含み、スピーカー単体５の周縁前方に向かって任意の一方へ延伸して設けた板体４を具え、更に前記板体４内側面の任意の一方の任意の一箇所又は複数箇所に、少なくとも一個以上の薄膜２を設置してよい；前記薄膜２は、任意の軟性又は弾性材質からなる材料によって作られたものである；
上述構成部材の組成によって、本発明に係る薄膜式音源出力装置を形成する。
【００１４】
図３Ｅは、本発明に係る薄膜式音源出力装置の第三実施例の側面断面図である；本装置は、主として、薄膜を有するスピーカーボックス２３を含み、スピーカー単体５の周縁後端から前に向かって任意の一方へ延伸して設けた板体４を具え、且つ前記板体４の任意の一方の任意の一箇所又は複数箇所に、少なくとも一個以上の通気孔６を形成し、更に通気孔６の内側面・外側面の任意の一方の任意の一箇所又は複数箇所に、少なくとも一個以上の薄膜２を設置してよい；前記薄膜２は、任意の軟性又は弾性材質からなる材料によって作られたものである；
上述構成部材の組成によって、本発明に係る薄膜式音源出力装置を形成する；前述図３Ａ、図３Ｂ、図３Ｃ、図３Ｄおよび図３Ｅのスピーカー単体５の形式はカバー付きスピーカー単体１の形式であってもよい。
【００１５】
図４は、本発明に係る薄膜式音源出力装置の第四実施例の側面断面図である；本装置は、箱体７と、スピーカーボックス２３と、を含み；前記箱体７の任意の一方の側面に内へ向かって一個以上の収容槽８を凹設し、前記収容槽８に、少なくとも一個以上の前記薄膜を有するスピーカーボックス２３を入れることが出来るようにしてある；
前記スピーカーボックス２３は、少なくとも一個以上の薄膜を有し、前記箱体７の収容槽８の中に対応設置されている、上述薄膜を有するスピーカーボックス２３は、図３Ａ〜図３Ｅに挙げた各種応用形式であってもよい。
【００１６】
図５Ａおよび図５Ｂは、本発明に係る薄膜式音源出力装置の第五実施例の側面断面図である；本装置は、箱体７を含み、前記箱体７の任意の一方の側面に内へ向かって一個以上の収容槽８を凹設し、且つ収容槽８の任意の一方の一箇所又は複数箇所に一個以上の通気孔６を形成し、更に通気孔６の内側面・外側面の任意の一方の任意の一箇所又は複数箇所に少なくとも一個以上の薄膜２を有し、更に一個以上のスピーカー単体５を収容槽８の端面に正方向又は反対方向に設置してよい；前記薄膜２は、任意の軟性又は弾性材質からなる材料によって作られたものである；
上述構成部材の組成によって、本発明に係る薄膜式音源出力装置を形成する。
【００１７】
図５Ｃおよび図５Ｄは、本発明に係る薄膜式音源出力装置の第五実施例の側面断面図である；本装置は、箱体７を含み、前記箱体７の任意の一方の側面に内へ向かって少なくとも一個以上の収容槽８を凹設し、且つ収容槽８の内側面の任意の一箇所に少なくとも一個以上の薄膜２を設置し、更に一個以上のスピーカー単体５を正面方向又は反対方向に収容槽８の端面に設置してよい；前記薄膜２は、任意の軟性又は弾性材質からなる材料によって作られたものである；
上述構成部材の組成によって、本発明に係る薄膜式音源出力装置を形成する。
【００１８】
図５Ｅは、本発明に係る薄膜式音源出力装置の第五実施例の側面断面図である；本装置は、箱体７を含み、前記箱体７の任意の一方の側面に内へ向かって少なくとも一個以上の収容槽８を形成し、更に一個以上のスピーカー単体５を正面方向に収容槽８の端面に設置し、更に少なくとも一個以上の薄膜２をスピーカー単体５の前側面の任意の一箇所又は複数箇所に設置してよい；前記薄膜２は、任意の軟性又は弾性材質からなる材料によって作られたものである；
上述構成部材の組成によって、本発明に係る薄膜式音源出力装置を形成する。
【００１９】
図５Ｆは、本発明に係る薄膜式音源出力装置の第五実施例の側面断面図である；本装置は、箱体７を含み、前記箱体７の任意の一方の側面に内へ向かって少なくとも一個以上の収容槽８を凹設して形成し、更に一個以上のスピーカー単体５を反対方向に収容槽８の端面に設置し、更に少なくとも一個以上の薄膜２をスピーカー単体５の後側面の任意の一箇所又は複数箇所に設置してよい；前記薄膜２は、任意の軟性又は弾性材質からなる材料によって作られたものである；
上述構成部材の組成によって、本発明に係る薄膜式音源出力装置を形成する；前述図５Ａ、図５Ｂ、図５Ｃ、図５Ｄ、図５Ｅおよび図５Ｆのスピーカー単体５の形式はカバー付きスピーカー単体１の形式であってもよい。
【００２０】
図６Ａは、本発明に係る薄膜式音源出力装置の第六実施例の側面断面図である；本装置は、箱体７を含み、前記箱体７の任意の一側面に、正面方向又は反対方向に少なくとも一個以上のスピーカー単体５を設置し、且つ箱体７内の任意の一方の任意の一箇所又は複数箇所に少なくとも一個以上の支持架９を設置し、且つ前記支持架９に、一個以上の通気孔１０を開設又は開設しなくともよく、且つ前記支持架９の任意の一方の任意の一箇所又は複数箇所に、少なくとも一個以上の薄膜２を、例えば、支持架９の通気孔１０に一個以上の薄膜２を設置してよい；前記薄膜２は、任意の軟性又は弾性材質からなる材料によって作られたものである；
上述構成部材の組成によって、本発明に係る薄膜式音源出力装置を形成する。
【００２１】
図６Ｂは、本発明に係る薄膜式音源出力装置の第六実施例の側面断面図である；本装置は、箱体７を含み、前記箱体７の任意の一側面に、正面方向又は反対方向に少なくとも一個以上のスピーカー単体５を設置し、且つ箱体前側の任意の一方の任意の一箇所又は複数箇所に少なくとも一個以上の支持架９を設置し、且つ前記支持架９の任意の一方の任意の一箇所又は複数箇所に、一個以上の通気孔１０を開設又は開設しなくともよく、且つ支持架９の任意の一方の任意の一箇所又は複数箇所に一個以上の薄膜２を、例えば、支持架９の通気孔１０に一個以上の薄膜２を設置してよい；前記薄膜２は、任意の軟性又は弾性材質からなる材料によって作られたものである；
上述構成部材の組成によって、本発明に係る薄膜式音源出力装置を形成する。
【００２２】
図６Ｃは、本発明に係る薄膜式音源出力装置の第六実施例の側面断面図である；本装置は、箱体７を含み、前記箱体７の任意の一側面に、正面方向又は反対方向に少なくとも一個以上のスピーカー単体５を設置し、且つ箱体７の任意の一方の任意の一箇所又は複数箇所に少なくとも一個以上の通気孔６を設置し、さらに箱体７の任意の一方の任意の一箇所又は複数箇所に少なくとも一個以上の支持架９を設置し、且つ前記支持架９は、通気孔６と対応して設置され、又、前記支持架９の任意の一方の任意の一箇所又は複数箇所に少なくとも一個以上の通気孔１０を開設又は開設しなくともよく、且つ前記支持架９の任意の一方の任意の一箇所又は複数箇所に、一個以上の薄膜２、例えば、支持架９の通気孔１０に一個以上の薄膜２を設置してよい；前記薄膜２は、任意の軟性又は弾性材質からなる材料によって作られたものである；
上述構成部材の組成によって、本発明に係る薄膜式音源出力装置を形成する；前述図６Ａ、図６Ｂおよび図６Ｃのスピーカー単体５の形式は、カバー付きスピーカー単体１の形式であってもよい。
【００２３】
図７Ａは、本発明に係る薄膜式音源出力装置の第七実施例の側面断面図である；本装置は、箱体７を含み、前記箱体７の任意の一側面に、正面方向又は反対方向に少なくとも一個以上のスピーカー単体５を設置し、更に少なくとも一個以上の薄膜２を固定しない方式で箱体７の中の任意の一方の任意の一箇所又は複数箇所に設置してよい；前記薄膜２は、任意の軟性又は弾性材質からなる材料によって作られたものである；
上述構成部材の組成によって、本発明に係る薄膜式音源出力装置を形成する。
【００２４】
図７Ｂは、本発明に係る薄膜式音源出力装置の第七実施例の側面断面図である；本装置は、箱体７を含み、前記箱体７の任意の一側面に、正面方向又は反対方向に少なくとも一個以上のスピーカー単体５を設置し、更に少なくとも一個以上の薄膜２を局部固定又は完全に固定する方式で箱体７の中の任意の一方の任意の一箇所又は複数箇所に設置してよい；前記薄膜２は、任意の軟性又は弾性材質からなる材料によって作られたものである；
上述構成部材の組成によって、本発明に係る薄膜式音源出力装置を形成する。
【００２５】
図８Ａ、図８Ｂおよび図８Ｃは、本発明に係る薄膜式音源出力装置の第八実施例の側面断面図である；本装置は、箱体７を含み、前記箱体７の任意の一側面に、正面方向又は反対方向に少なくとも一個以上のスピーカー単体５を設置し、且つ箱体７の内側面の任意の一方の任意の一箇所又は複数箇所に、少なくとも一個以上の薄膜２を有する結合部材１１を、固定（図八Ｂに示すように）又は固定しない（図８Ａに示すように）方式、或いは局部的に固定（図８Ｃに示すように）する方式で、箱体７内の任意の一方の任意の一箇所又は複数箇所に設置してよい；前記薄膜２は、任意の軟性又は弾性材質からなる材料によって作られたものである；
上述構成部材の組成によって、本発明に係る薄膜式音源出力装置を形成する；前述図７Ａ、図７Ｂ〜図８Ａ、図８Ｂ、図８Ｃ,のスピーカー単体５の形式は、カバー付きスピーカー単体１の形式であってもよい。
【００２６】
図９Ａは、本発明に係る薄膜式音源出力装置の第九実施例の側面断面図である；本装置は、箱体７を含み、前記箱体７の任意の一側面に、正面方向又は反対方向に少なくとも一個以上のスピーカー単体５を設置し、且つ箱体７の任意の一側面の任意の一箇所又は複数箇所に、少なくとも一個以上の通気孔６を設置し、更に通気孔６の内側面の任意の一方の任意の一箇所又は複数箇所に少なくとも一個以上の薄膜２を設置してよい；前記薄膜２は、任意の軟性又は弾性材質からなる材料によって作られたものである；同時に、前記箱体７の中に少なくとも一個以上の仕切り板（図示せず）を設置して、各スピーカー単体５間のスペースを区分してもよく、且つ前記通気孔６はそれぞれ各スペースの任意の一側面の任意の一箇所又は複数箇所に開設されている；
上述構成部材の組成によって、本発明に係る薄膜式音源出力装置を形成する。
【００２７】
図９Ｂは、本発明に係る薄膜式音源出力装置の第九実施例の側面断面図である；本装置は、箱体７を含み、前記箱体７の任意の一側面に、正面方向又は反対方向に少なくとも一個以上のスピーカー単体５を設置し、且つ箱体７の任意の一側面の任意の一箇所又は複数箇所に少なくとも一個以上の通気孔６を開設し、且つ通気孔６の外側面の任意の一方の任意の一箇所又は複数箇所に少なくとも一個以上の薄膜２を設置し、更に保護カバー体１２を薄膜２の上に被せてある；前記薄膜２は、任意の軟性又は弾性材質からなる材料によって作られたものである；前記箱体７の中に少なくとも一個以上の仕切り板（図示せず）を設置して、各スピーカー単体５間のスペースを区分してもよく、且つ前記通気孔６はそれぞれ各スペース間の任意の一側面の任意の一箇所又は複数箇所に開設されている；
上述構成部材の組成によって、本発明に係る薄膜式音源出力装置を形成する。
【００２８】
図９Ｃは、本発明に係る薄膜式音源出力装置の第九実施例の側面断面図である；本装置は、箱体７を含み、前記箱体７の任意の一側面に、正面方向又は反対方向に少なくとも一個以上のスピーカー単体５を設置し、且つ箱体７の任意の一側面の任意の一箇所又は複数箇所に少なくとも一個以上の通気孔６を開設し、且つ通気孔６から箱体７の内側面の任意の一方の任意の一箇所又は複数箇所に凸柱１３を延伸して設置し、更に少なくとも一個以上の薄膜２を結合した結合部材１１を凸柱１３に固定してある；前記薄膜２は、任意の軟性又は弾性材質からなる材料によって作られたものである；前記箱体７の中に少なくとも一個以上の仕切り板（図示せず）を設置して、各スピーカー単体５間のスペースを区分してもよく、且つ前記通気孔６はそれぞれ各スペース間の任意の一側面の任意の一箇所又は複数箇所に開設されている；
上述構成部材の組成によって、本発明に係る薄膜式音源出力装置を形成する。
【００２９】
図９Ｄは、本発明に係る薄膜式音源出力装置の第九実施例の側面断面図である；本装置は、箱体７を含み、前記箱体７の任意の一側面に、正面方向又は反対方向に少なくとも一個以上のスピーカー単体５を設置し、且つ箱体７の任意の一側面の任意の一箇所又は複数箇所に少なくとも一個以上の通気孔６を開設し、且つ通気孔６から箱体７の外側面の任意の一方の任意の一箇所又は複数箇所に凸柱１３を延伸して設置し、更に少なくとも一個以上の薄膜２を結合した結合部材１１を凸柱１３に固定し、更に保護カバー体１２を結合部材１１の外部に設置してある；前記薄膜２は、任意の軟性又は弾性材質からなる材料によって作られたものである；前記箱体７の中に少なくとも一個以上の仕切り板（図示せず）を設置して、各スピーカー単体５間のスペースを区分してもよく、且つ前記通気孔６はそれぞれ各スペース間の任意の一側面の任意の一箇所又は複数箇所に開設されている；
上述構成部材の組成によって、本発明に係る薄膜式音源出力装置を形成する；前述図９Ａ、図９Ｂ、図９、図９Ｃおよび図９Ｄのスピーカー単体５の形式は、カバー付きスピーカー単体１の形式であってもよい。
【００３０】
図１０Ａおよび図１０Ｂは、前述図１から図９Ａ、図９Ｂ、図９Ｃ、図９Ｄまでの各実施例の各応用技術と、本発明の技術を同時に進行させて相互に組み合わせて等価実施並びに応用することが出来ると共に、各種類型の音源出力装置又は音響に関連する各種類型の製品に応用することも出来、更に必要に応じて少なくとも一個以上の薄膜２を所要の適当な位置に設置し、音源出力装置の低音を一層柔らかくさせ、且つ音域の幅を一層広くする効果を達成することができる。
図１１Ａは、本発明に係る薄膜式音源出力装置の第十実施例の側面断面図である；本装置は、イヤホン１４を含み、前記イヤホン１４は一個以上のスピーカー単体５を含み、且つスピーカー単体５の任意の一方の任意の一箇所又は複数箇所に、少なくとも一個以上の薄膜２を設置し、更にイヤホンケース１５とイヤホン管体１６を有するイヤホン構成部材、或いはイヤホンケース１５とイヤホン管体１６なしのイヤホンを有するイヤホン構成部材を、結合することによって、一個以上の薄膜を有するイヤホンを形成する；前記イヤホンの類型は、片耳用のシングルイヤホン及び両耳用のステレオイヤホンとに区分することが出来る；又、前記イヤホンの形式は、耳道式・耳栓式・耳掛け式・ヘッドホン式・分離式などのイヤホンであってよい；前記薄膜２は、任意の軟性又は弾性材質からなる材料によって作られたものである；
上述構成部材の組成によって、本発明に係る薄膜式音源出力装置を形成する。
【００３１】
図１１Ｂは、本発明に係る薄膜式音源出力装置の第十実施例の側面断面図である；本装置は、イヤホン１４を含み、イヤホンネットカバー１７及び一個以上のスピーカー単体５の間の任意の一方の任意の一箇所又は複数箇所に少なくとも一個以上の薄膜２を設置し、更にイヤホンケース１５とイヤホン管体１６を有するイヤホン構成部材、或いはイヤホンケース１５とイヤホン管体１６なしのイヤホンを有するイヤホン構成部材を、結合することによって、一個以上の薄膜を有するイヤホンを形成する；前記イヤホンの類型は、片耳用のシングルイヤホン及び両耳用のステレオイヤホンとに区分することが出来る；又、前記イヤホンの形式は、耳道式・耳栓式・耳掛け式・ヘッドホン式・分離式などのイヤホンであってよい；前記薄膜２は、任意の軟性又は弾性材質からなる材料によって作られたものである；
上述構成部材の組成によって、本発明に係る薄膜式音源出力装置を形成する。
【００３２】
図１１Ｃは、本発明に係る薄膜式音源出力装置の第十実施例の側面断面図である；本装置は、イヤホン１４を含み、イヤホンネットカバー１７外側面の任意の一箇所又は複数箇所に少なくとも一個以上の薄膜２を設置し、且つ一個以上のスピーカー単体５をイヤホンネットカバー１７の後ろ側に設置し、更にイヤホンケース１５とイヤホン管体１６を有するイヤホン構成部材、或いはイヤホンケース１５とイヤホン管体１６なしのイヤホンを有するイヤホン構成部材を、結合することによって、一個以上の薄膜を有するイヤホンを形成する；前記イヤホンの類型は、片耳用のシングルイヤホン及び両耳用のステレオイヤホンとに区分することが出来る；又、前記イヤホンの形式は、耳道式・耳栓式・耳掛け式・ヘッドホン式・分離式などのイヤホンであってよい；前記薄膜２は、任意の軟性又は弾性材質からなる材料によって作られたものである；
上述構成部材の組成によって、本発明に係る薄膜式音源出力装置を形成する。
【００３３】
図１１Ｄは、本発明に係る薄膜式音源出力装置の第十実施例の側面断面図である；本装置は、イヤホン１４を含み、イヤホンケース１５とイヤホン管体１６を有するイヤホン構成部材、或いはイヤホンケース１５とイヤホン管体１６なしのイヤホンを有するイヤホン構成部材を、一個以上のスピーカー単体５の後ろ側に結合し、そして、前記イヤホンケース１５の任意の一方の任意の一箇所又は複数箇所に少なくとも一個以上の通気孔６を開設し、且つ前記通気孔６の内側面又は外側面の任意の一方の任意の一箇所又は複数箇所に少なくとも一個以上の薄膜２を設置してよい；前記イヤホンの類型は、片耳用のシングルイヤホン及び両耳用のステレオイヤホンとに区分することが出来る；又、前記イヤホンの形式は、耳道式・耳栓式・耳掛け式・ヘッドホン式・分離式などのイヤホンであってよい；前記薄膜２は、任意の軟性又は弾性材質からなる材料によって作られたものである；
【００３４】
図１１Ｅは、本発明に係る薄膜式音源出力装置の第十実施例の側面断面図である；本装置は、イヤホン１４を含み、イヤホンケース１５とイヤホン管体１６を有するイヤホン構成部材、或いはイヤホンケース１５とイヤホン管体１６なしのイヤホンを有するイヤホン構成部材を、一個以上のスピーカー単体５の後ろ側に結合し、そして、前記イヤホン管体１６の任意の一方の任意の一箇所又は複数箇所に少なくとも一個以上の通気孔６を開設し、且つ前記通気孔６の内側面又は外側面の任意の一方の任意の一箇所又は複数箇所に少なくとも一個以上の薄膜２を設置してよい；前記イヤホンの類型は、片耳用のシングルイヤホン及び両耳用のステレオイヤホンとに区分することが出来る；又、前記イヤホンの形式は、耳道式・耳栓式・耳掛け式・ヘッドホン式・分離式などのイヤホンであってよい；前記薄膜２は、任意の軟性又は弾性材質からなる材料によって作られたものである；
【００３５】
図１１Ｆ，Ｇは、本発明に係る薄膜式音源出力装置の第十実施例の側面断面図である；本装置は、イヤホン１４を含み、イヤホン構成部材２４の任意の一方の任意の一箇所又は複数箇所に一個以上の耳掛け式管体１８を設置し、且つ前記耳掛け式管体１８の任意の一方の任意の一箇所又は複数箇所に少なくとも一個以上の通気孔６を開設し、且つ前記通気孔６の内側面又は外側面の任意の一方の任意の一箇所又は複数箇所に少なくとも一個以上の薄膜２を設置してよい；前記イヤホンの類型は、片耳用のシングルイヤホン及び両耳用のステレオイヤホンとに区分することが出来る；又、前記イヤホンの形式は、耳道式・耳栓式・耳掛け式・ヘッドホン式・分離式などのイヤホンであってよい；前記薄膜２は、任意の軟性又は弾性材質からなる材料によって作られたものである；
上述構成部材の組成によって、本発明に係る薄膜式音源出力装置を形成する。
【００３６】
上述図１１Ａ、図１１Ｂ、図１１Ｃ、図１１Ｄ、図１１Ｅ、図１１Ｆおよび図１１Ｇで表したイヤホン類型及び応用形式は、一個以上のスピーカー単体５を反対方向に設置しても、音声を同様に共鳴させる効果があり、且つ前記スピーカー単体５の形式は、図１Ａ、図１Ｂおよび図１Ｃに列挙したカバー付きスピーカー単体１の形式であってもよい。
尚、図図１１Ａ、図１１Ｂ、図１１Ｃ、図１１Ｄ、図１１Ｅ、図１１Ｆおよび図１１Ｇの各実施例で表した応用技術又は前述図一Ａ，Ｂ，Ｃ〜図十Ａ，Ｂの各実施例で表した各応用技術は、同時に交互組合せて各種類型のイヤホンにおいて等価実施並びに応用することも出来る。
【００３７】
図１２Ａ、図１２Ｂ、図１２Ｃ及び図１３及び図１４は、音源出力装置を有する各種類型の電子製品の実施応用を表し、又、図１〜図１２Ａ、図１２Ｂ、図１２Ｃに表された各応用技術は、本発明に係る各応用技術を各種類型の音源出力装置又は各種類型の電子製品においても使用できることを表す、例えば、イヤホン・スピーカー単体・スピーカーボックス・ノートブックパソコン・ディスプレイ・携帯電話・一般電話・車載用オーディオ装置・車載用スピーカーボックス・家庭用オーディオ装置・家庭用スピーカーボックス・ステレオスピーカーボックス等にすべて実施することができる；図十二Ａに示すように、先ずノートブックパソコン１９を例にとると、ノートブックパソコン１９に予め設置されたスピーカー槽２０の内側面の任意の一方の任意の一箇所又は複数箇所に少なくとも一個以上の薄膜２を設け、更に一個以上のスピーカー単体５をスピーカー槽２０の端面に設置する；又、図１２Ｂに示すように、ノートブックパソコン１９に予め設置されたスピーカー槽２０の内側面の任意の一箇所又は複数箇所に一個以上の箱体７（図示せず）或いは一個以上の薄膜を有するスピーカーボックス２３を設置してもよい、前記箱体７或いは一個以上の薄膜を有するスピーカーボックス２３の形式は、図２Ａ、図２Ｂ、図３Ａ、図３Ｂ、図３Ｃ、図３Ｄおよび図３Ｅ、図４、図５Ａ、図５Ｂ、図５Ｃ、図５Ｄ、図５Ｅおよび図５Ｆに示す通りである；又、図１２Ｃに示すように、ノートブックパソコン１９のケースの任意の一方の任意の一箇所又は複数箇所に少なくとも一個以上のスピーカー単体（図示せず）設置し、且つノートブックパソコン１９のケースの任意の一方の任意の一箇所又は複数箇所に少なくとも一個以上の通気孔６を開設し、且つ通気孔６の内側面・外側面の任意の一方の任意の一箇所又は複数箇所に一個以上の薄膜２を設置してもよい；又、図１３及び図１４に示すように、本発明に係る応用技術又は前述図１から図１２までの各応用技術を同時にディスプレイ２１或いは携帯電話２２に応用してもよい、ディスプレイ２１又は携帯電話２２のケースの任意の一方の任意の一箇所又は複数箇所に少なくとも一個以上のスピーカー単体（図示せず）を設け、且つディスプレイ２１又は携帯電話２２のケースの任意の一方の任意の一箇所又は複数箇所に少なくとも一個以上の通気孔６を開設し、且つ通気孔６の内側面・外側面の任意の一方の任意の一箇所又は複数箇所に少なくとも一個以上の薄膜２を設置しても、同様に、一層柔らかい低音及び一層幅広い音域の効果を達成することが出来る；上述ノートブックパソコン・ディスプレイ或いは携帯電話の実施例は、各種類型の音源出力装置又は各種類型の音声関連製品に応用することも出来る。
【００３８】
尚、上述図１〜図１４の実施方式は、前述図面の応用方式に基づいて、各種類型の音源出力装置や各種電子製品の異なる設置位置により、薄膜２を複合材料一体射出成型又はその他の方式で、前述各種類型の音源出力装置或いは各種電子製品の所要の位置に設置することが出来る。
【００３９】
上述詳細な説明は、本発明の実施可能な例についての具体的説明である、但し、前記実施例は本発明の特許請求の範囲を制限するものではなく、凡そ本発明の概念及び核心技術を逸脱せずになされる等価置換え実施又は設計の変更は、すべて本案の特許請求の範囲に含まれるものとする。
以上を総合すると、本案は空間形態上確かに独創的であるのみならず、従来の物品に比べ、上述の多項目にわたる効能を増進しており、新規性及び進歩性の法定発明特許の要件を十分満足しているはずである、よって茲に法に従って申請する次第である。
【図面の簡単な説明】
【００４０】
【図１Ａ】本発明に係る薄膜式音源出力装置の第一実施例の側面断面図である。
【図１Ｂ】本発明に係る薄膜式音源出力装置の第一実施例の側面断面図である。
【図１Ｃ】本発明に係る薄膜式音源出力装置の第一実施例の側面断面図である。
【図２Ａ】前記薄膜式音源出力装置の第二実施例の側面断面図である。
【図２Ｂ】前記薄膜式音源出力装置の第二実施例の側面断面図である。
【図３Ａ】前記薄膜式音源出力装置の第三実施例の側面断面図である。
【図３Ｂ】前記薄膜式音源出力装置の第三実施例の側面断面図である。
【図３Ｃ】前記薄膜式音源出力装置の第三実施例の側面断面図である。
【図３Ｄ】前記薄膜式音源出力装置の第三実施例の側面断面図である。
【図３Ｅ】前記薄膜式音源出力装置の第三実施例の側面断面図である。
【図４】前記薄膜式音源出力装置の第四実施例の側面断面図である。
【図５Ａ】前記薄膜式音源出力装置の第五実施例の側面断面図である。
【図５Ｂ】前記薄膜式音源出力装置の第五実施例の側面断面図である。
【図５Ｃ】前記薄膜式音源出力装置の第五実施例の側面断面図である。
【図５Ｄ】前記薄膜式音源出力装置の第五実施例の側面断面図である。
【図５Ｅ】前記薄膜式音源出力装置の第五実施例の側面断面図である。
【図５Ｆ】前記薄膜式音源出力装置の第五実施例の側面断面図である。
【図６Ａ】前記薄膜式音源出力装置の第六実施例の側面断面図である。
【図６Ｂ】前記薄膜式音源出力装置の第六実施例の側面断面図である。
【図６Ｃ】前記薄膜式音源出力装置の第六実施例の側面断面図である。
【図７Ａ】前記薄膜式音源出力装置の第七実施例の側面断面図である。
【図７Ｂ】前記薄膜式音源出力装置の第七実施例の側面断面図である。
【図８Ａ】前記薄膜式音源出力装置の第八実施例の側面断面図である。
【図８Ｂ】前記薄膜式音源出力装置の第八実施例の側面断面図である。
【図８Ｃ】前記薄膜式音源出力装置の第八実施例の側面断面図である。
【図９Ａ】前記薄膜式音源出力装置の第九実施例図である。
【図９Ｂ】前記薄膜式音源出力装置の第九実施例図である。
【図９Ｃ】前記薄膜式音源出力装置の第九実施例図である。
【図９Ｄ】前記薄膜式音源出力装置の第九実施例図である。
【図１０Ａ】前記薄膜式音源出力装置の交互等価実施応用図である。
【図１０Ｂ】前記薄膜式音源出力装置の交互等価実施応用図である。
【図１１Ａ】前記薄膜式音源出力装置の第十実施例図である。
【図１１Ｂ】前記薄膜式音源出力装置の第十実施例図である。
【図１１Ｃ】前記薄膜式音源出力装置の第十実施例図である。
【図１１Ｄ】前記薄膜式音源出力装置の第十実施例図である。
【図１１Ｅ】前記薄膜式音源出力装置の第十実施例図である。
【図１１Ｆ】前記薄膜式音源出力装置の第十実施例図である。
【図１１Ｇ】前記薄膜式音源出力装置の第十実施例図である。
【図１２Ａ】前記薄膜式音源出力装置の実施応用図である。
【図１２Ｂ】前記薄膜式音源出力装置の実施応用図である。
【図１２Ｃ】前記薄膜式音源出力装置の実施応用図である。
【図１３】前記薄膜式音源出力装置の実施応用図である。
【図１４】前記薄膜式音源出力装置の実施応用図である。
【符号の説明】
【００４１】
１    カバー付きスピーカー単体
２    薄膜
３    カバー付きスピーカーボックス
４    板体
５    スピーカー単体
６    通気孔
７    箱体
８    収容槽
９    支持架
１０  通気孔
１１  結合部材
１２  保護カバー体
１３  凸柱
１４  イヤホン
１５  イヤホンケース
１６  イヤホン管体
１７  イヤホンネットカバー
１８  耳掛け式管体
１９  ノートブックパソコン
２０  スピーカー槽
２１  ディスプレイ
２２  携帯電話
２３  薄膜を有するスピーカーボックス
２４  イヤホン構成部材
【図１Ａ】
2008160783.tif 000003
【図１Ｂ】
2008160783.tif 000004
【図１Ｃ】
2008160783.tif 000005
【図２Ａ】
2008160783.tif 000006
【図２Ｂ】
2008160783.tif 000007
【図３Ａ】
2008160783.tif 000008
【図３Ｂ】
2008160783.tif 000009
【図３Ｃ】
2008160783.tif 000010
【図３Ｄ】
2008160783.tif 000011
【図３Ｅ】
2008160783.tif 000012
【図４】
2008160783.tif 000013
【図５Ａ】
2008160783.tif 000014
【図５Ｂ】
2008160783.tif 000015
【図５Ｃ】
2008160783.tif 000016
【図５Ｄ】
2008160783.tif 000017
【図５Ｅ】
2008160783.tif 000018
【図５Ｆ】
2008160783.tif 000019
【図６Ａ】
2008160783.tif 000020
【図６Ｂ】
2008160783.tif 000021
【図６Ｃ】
2008160783.tif 000022
【図７Ａ】
2008160783.tif 000023
【図７Ｂ】
2008160783.tif 000024
【図８Ａ】
2008160783.tif 000025
【図８Ｂ】
2008160783.tif 000026
【図８Ｃ】
2008160783.tif 000027
【図９Ａ】
2008160783.tif 000028
【図９Ｂ】
2008160783.tif 000029
【図９Ｃ】
2008160783.tif 000030
【図９Ｄ】
2008160783.tif 000031
【図１０Ａ】
2008160783.tif 000032
【図１０Ｂ】
2008160783.tif 000033
【図１１Ａ】
2008160783.tif 000034
【図１１Ｂ】
2008160783.tif 000035
【図１１Ｃ】
2008160783.tif 000036
【図１１Ｄ】
2008160783.tif 000037
【図１１Ｅ】
2008160783.tif 000038
【図１１Ｆ】
2008160783.tif 000039
【図１１Ｇ】
2008160783.tif 000040
【図１２Ａ】
2008160783.tif 000041
【図１２Ｂ】
2008160783.tif 000042
【図１２Ｃ】
2008160783.tif 000043
【図１３】
2008160783.tif 000044
【図１４】
2008160783.tif 000045
【手続補正書】
【提出日】平成19年11月28日(2007.11.28)
【手続補正１】
【補正対象書類名】特許請求の範囲
【補正対象項目名】全文
【補正方法】変更
【補正の内容】
【特許請求の範囲】
【請求項１】
任意の軟性又は弾性材質を有する材料で形成された薄膜を、一種類以上の適当な形式で各種類型の音源出力装置或いは各種類型の音声関連製品の内側面又は外側面に結合したことを特徴とする薄膜式音源出力装置。
【請求項２】
一個以上の前記薄膜を、少なくとも一種類以上の形式で相互に組み合わせて結合するとともに、前記各種類型の音源出力装置或いは前記各種類型の音声関連製品の音源出力装置の内側面又は外側面に設置したことを特徴とする請求項１に記載の薄膜式音源出力装置。
【請求項３】
カバー付きスピーカー単体を含み、前記カバー付きスピーカー単体の前側面或いは後側面又は任意の一側面の一箇所又は複数箇所に少なくとも一個以上の薄膜を設置したことを特徴とする薄膜式音源出力装置。
【請求項４】
前記カバー付きスピーカー単体の周縁の任意の方向へ板体を延伸設置することによってカバー付きスピーカーボックスを形成したことを特徴とする請求項３に記載の薄膜式音源出力装置。
【請求項５】
前記薄膜は、少なくとも一個以上の薄膜を音源出力装置に結合した構造を、複合材料一体射出成型方式で設置したことを特徴とする請求項３又は請求項４に記載の薄膜式音源出力装置。
【請求項６】
前記薄膜は、任意の軟性又は弾性材質を有する材料で作られていることを特徴とする請求項３に記載の薄膜式音源出力装置。
【請求項７】
前記薄膜は、各種類型の音源出力装置或いは各種類型の音声関連製品の音源出力装置に応用することを特徴とする請求項３に記載の薄膜式音源出力装置。
【請求項８】
薄膜を有するスピーカーボックスと、一個以上のスピーカー単体と、を含み、前記一個以上のスピーカー単体の周縁に任意の一方向へ板体を延伸設置し、且つ板体の任意の一方の任意の一箇所又は複数箇所に少なくとも一個以上の通気孔を形成し、更に通気孔の内側面・外側面の任意の一方の任意の一箇所又は複数箇所に少なくとも一個以上の薄膜を設置することを特徴とする薄膜式音源出力装置。
【請求項９】
前記薄膜を有するスピーカーボックスは、箱体内の任意の一側面の任意の一箇所又は複数箇所に凹設した収容槽の中に設置することを特徴とする請求項８に記載の薄膜式音源出力装置。
【請求項１０】
前記薄膜は、少なくとも一個以上の薄膜を音源出力装置に結合した構造を、複合材料一体射出成型方式で設置することを特徴とする請求項８又は請求項９に記載の薄膜式音源出力装置。
【請求項１１】
前記スピーカー単体は、カバー付きスピーカー単体で代替することを特徴とする請求項８又は請求項９に記載の薄膜式音源出力装置。
【請求項１２】
前記薄膜は、任意の軟性又は弾性材質を有する材料で作られていることを特徴とする請求項８に記載の薄膜式音源出力装置。
【請求項１３】
前記薄膜は、各種類型の音源出力装置或いは各種類型の音声関連製品の音源出力装置に応用することを特徴とする請求項８に記載の薄膜式音源出力装置。
【請求項１４】
薄膜を有するスピーカーボックスと、一個以上のスピーカー単体を含み、前記一個以上のスピーカー単体の前側の任意の一箇所又は複数箇所に少なくとも一個以上の薄膜を設置し、且つスピーカー単体周縁に任意の一方向へ板体を延伸設置することを特徴とする薄膜式音源出力装置。
【請求項１５】
前記薄膜を有するスピーカーボックスは、箱体内の任意の一側面の任意の一箇所又は複数箇所に凹設された収容槽の中に設置することを特徴とする請求項１４に記載の薄膜式音源出力装置。
【請求項１６】
前記薄膜は、少なくとも一個以上の薄膜を音源出力装置に結合した構造を、複合材料一体射出成型方式で設置されていることを特徴とする請求項１４又は請求項１５に記載の薄膜式音源出力装置。
【請求項１７】
前記スピーカー単体は、カバー付きスピーカー単体で代替することを特徴とする請求項１４又は請求項１５に記載の薄膜式音源出力装置。
【請求項１８】
前記薄膜は、任意の軟性又は弾性材質を有する材料で作られていることを特徴とする請求項１４に記載の薄膜式音源出力装置。
【請求項１９】
前記薄膜は、各種類型の音源出力装置或いは各種類型の音声関連製品の音源出力装置に応用することを特徴とする請求項１４に記載の薄膜式音源出力装置。
【請求項２０】
薄膜を有するスピーカーボックスと、一個以上のスピーカー単体と、を含み、前記一個以上のスピーカー単体の周縁に任意の一側面方向へ板体を延伸設置し、更に板体内側面の任意の一方の任意の一箇所又は複数箇所に一個以上の薄膜を設置することを特徴とする薄膜式音源出力装置。
【請求項２１】
前記薄膜を有するスピーカーボックスは、箱体内の任意の一側面の任意の一箇所又は複数箇所に凹設された収容槽の中に設置することを特徴とする請求項２０に記載の薄膜式音源出力装置。
【請求項２２】
前記薄膜は、少なくとも一個以上の薄膜を音源出力装置に結合した構造を、複合材料一体射出成型方式で設置されていることを特徴とする請求項２０に記載の薄膜式音源出力装置。
【請求項２３】
前記スピーカー単体は、カバー付きスピーカー単体で代替することを特徴とする請求項２０に記載の薄膜式音源出力装置。
【請求項２４】
前記薄膜は、任意の軟性又は弾性材質を有する材料で作られていることを特徴とする請求項２０に記載の薄膜式音源出力装置。
【請求項２５】
前記薄膜は、各種類型の音源出力装置或いは各種類型の音声関連製品の音源出力装置に応用することを特徴とする請求項２０に記載の薄膜式音源出力装置。
【請求項２６】
箱体を含み、前記箱体の任意の一側面の任意の一箇所又は複数箇所に内へ向かって少なくとも一個以上の収容槽を凹設して形成し、且つ収容槽の内側面・外側面の任意の一方の任意の一箇所又は複数箇所に少なくとも一個以上の薄膜を設置し、更に一個以上のスピーカー単体を正方向又は反対方向に収容槽の中に設置したことを特徴とする薄膜式音源出力装置。
【請求項２７】
前記薄膜は、少なくとも一個以上の薄膜を音源出力装置に結合した構造を、複合材料一体射出成型方式で設置されていることを特徴とする請求項２６に記載の薄膜式音源出力装置。
【請求項２８】
前記スピーカー単体は、カバー付きスピーカー単体で代替することを特徴とする請求項２６に記載の薄膜式音源出力装置。
【請求項２９】
前記薄膜は、任意の軟性又は弾性材質を有する材料で作られていることを特徴とする請求項２６に記載の薄膜式音源出力装置。
【請求項３０】
前記薄膜は、各種類型の音源出力装置或いは各種類型の音声関連製品の音源出力装置に応用することを特徴とする請求項２６に記載の薄膜式音源出力装置。
【請求項３１】
箱体を含み、前記箱体の任意の一側面の任意の一箇所又は複数箇所に内へ向かって少なくとも一個以上の収容槽を凹設して形成し、且つ収容槽の内側面の任意の一方の任意の一箇所又は複数箇所に少なくとも一個以上の薄膜を設置し、更に一個以上のスピーカー単体を正方向又は反対方向に収容槽の中に設置したことを特徴とする薄膜式音源出力装置。
【請求項３２】
前記薄膜は、少なくとも一個以上の薄膜を音源出力装置に結合した構造を、複合材料一体射出成型方式で設置されていることを特徴とする請求項３１に記載の薄膜式音源出力装置。
【請求項３３】
前記スピーカー単体は、カバー付きスピーカー単体で代替することを特徴とする請求項３１に記載の薄膜式音源出力装置。
【請求項３４】
前記薄膜は、任意の軟性又は弾性材質を有する材料で作られていることを特徴とする請求項３１に記載の薄膜式音源出力装置。
【請求項３５】
前記薄膜は、各種類型の音源出力装置或いは各種類型の音声関連製品の音源出力装置に応用することを特徴とする請求項３１に記載の薄膜式音源出力装置。
【請求項３６】
箱体を含み、前記箱体の任意の一側面の任意の一箇所又は複数箇所に内へ向かって少なくとも一個以上の収容槽を凹設して形成し、更に一個以上のスピーカー単体を正方向又は反対方向に収容槽の中に設置し、更に少なくとも一個以上の薄膜をスピーカー単体の前側又は後側の任意の一方の任意の一箇所又は複数箇所に設置したことを特徴とする薄膜式音源出力装置。
【請求項３７】
前記薄膜は、少なくとも一個以上の薄膜を音源出力装置に結合し構造を、複合材料一体射出成型方式で設置されていることを特徴とする請求項３６に記載の薄膜式音源出力装置。
【請求項３８】
前記スピーカー単体は、カバー付きスピーカー単体で代替することを特徴とする請求項３６に記載の薄膜式音源出力装置。
【請求項３９】
前記薄膜は、任意の軟性又は弾性材質を有する材料で作られていることを特徴とする請求項３６に記載の薄膜式音源出力装置。
【請求項４０】
前記薄膜は、各種類型の音源出力装置或いは各種類型の音声関連製品の音源出力装置に応用することを特徴とする請求項３６に記載の薄膜式音源出力装置。
【請求項４１】
箱体を含み、前記箱体の任意の一側面の任意の一箇所又は複数箇所に少なくとも一個以上のスピーカー単体を正方向又は反対方向に設置し、且つ箱体内・外側の任意の一方の任意の一箇所又は複数箇所に少なくとも一個以上の支持架を設置し、且つ前記支持架に、一個以上の通気孔を開設又は開設しなくてよく、支持架の任意の一方の任意の一箇所又は複数箇所に一個以上の薄膜を設置したことを特徴とする薄膜式音源出力装置。
【請求項４２】
前記薄膜は、少なくとも一個以上の薄膜を音源出力装置に結合した構造を、複合材料一体射出成型方式で設置されていることを特徴とする請求項４１に記載の薄膜式音源出力装置。
【請求項４３】
前記スピーカー単体は、カバー付きスピーカー単体で代替することを特徴とする請求項４１に記載の薄膜式音源出力装置。
【請求項４４】
前記薄膜は、任意の軟性又は弾性材質を有する材料で作られていることを特徴とする請求項４１に記載の薄膜式音源出力装置。
【請求項４５】
前記薄膜は、各種類型の音源出力装置或いは各種類型の音声関連製品の音源出力装置に応用することを特徴とする請求項４１に記載の薄膜式音源出力装置。
【請求項４６】
箱体を含み、前記箱体の任意の一側面の任意の一箇所又は複数箇所に少なくとも一個以上のスピーカー単体を正方向又は反対方向に設置し、且つ箱体内の任意の一方の任意の一箇所又は複数箇所に少なくとも一個以上の薄膜を設置したことを特徴とする薄膜式音源出力装置。
【請求項４７】
前記薄膜は、局部的に固定又は完全に固定して箱体内に設置することを特徴とする請求項４６に記載の薄膜式音源出力装置。
【請求項４８】
前記薄膜は、固定しないで箱体内に設置することを特徴とする請求項４６に記載の薄膜式音源出力装置。
【請求項４９】
前記一個以上の薄膜は、一個以上の結合部材と結合し、且つ結合部材を有する薄膜を箱体内に設置することを特徴とする請求項４６に記載の薄膜式音源出力装置。
【請求項５０】
前記結合部材を有する薄膜は、局部的に又は完全に固定して箱体内に設置することを特徴とする請求項４９に記載の薄膜式音源出力装置。
【請求項５１】
前記結合部材を有する薄膜は、固定しないで箱体内に設置することを特徴とする請求項４９に記載の薄膜式音源出力装置。
【請求項５２】
前記薄膜は、少なくとも一個以上の薄膜を音源出力装置に結合した構造を、複合材料一体射出成型方式で設置されていることを特徴とする請求項４７又は請求項５０に記載の薄膜式音源出力装置。
【請求項５３】
前記スピーカー単体は、カバー付きスピーカー単体で代替することを特徴とする請求項４６に記載の薄膜式音源出力装置。
【請求項５４】
前記薄膜は、任意の軟性又は弾性材質を有する材料で作られていることを特徴とする請求項４６に記載の薄膜式音源出力装置。
【請求項５５】
前記薄膜は、各種類型の音源出力装置或いは各種類型の音声関連製品の音源出力装置に応用することを特徴とする請求項４６に記載の薄膜式音源出力装置。
【請求項５６】
箱体を含み、前記箱体の任意の一側面の任意の一箇所又は複数箇所に少なくとも一個以上のスピーカー単体を正方向又は反対方向に設置し、且つ箱体の任意の一側面の任意の一箇所又は複数箇所に少なくとも一個以上の通気孔を設置し、更に通気孔内側面又は外側面の任意の一方の任意の一箇所又は複数箇所に少なくとも一個以上の薄膜を設置することを特徴とする薄膜式音源出力装置。
【請求項５７】
前記通気孔の外側面に保護カバー体を対応設置することを特徴とする請求項５６に記載の薄膜式音源出力装置。
【請求項５８】
前記通気孔の内側面の任意の一箇所又は複数箇所に一個以上の凸柱を内へ向かって延伸設置し、更に一個以上の薄膜を結合した結合部材を前記凸柱に嵌着することを特徴とする請求項５６に記載の薄膜式音源出力装置。
【請求項５９】
前記通気孔の外側面の任意の一箇所又は複数箇所に一個以上の凸柱を外へ向かって延伸設置し、更に一個以上の薄膜を結合した結合部材を前記凸柱に嵌着することを特徴とする請求項５６に記載の薄膜式音源出力装置。
【請求項６０】
前記通気孔の外側面に保護カバー体を対応設置することを特徴とする請求項５９に記載の薄膜式音源出力装置。
【請求項６１】
前記箱体内の任意の一方の任意の一箇所又は複数箇所に少なくとも一個以上の仕切り板を設置することを特徴とする請求項５６又は５８又は５９に記載の薄膜式音源出力装置。
【請求項６２】
前記薄膜は、少なくとも一個以上の薄膜を音源出力装置に結合し構造を、複合材料一体射出成型方式で設置されていることを特徴とする請求項５６に記載の薄膜式音源出力装置。
【請求項６３】
前記スピーカー単体は、カバー付きスピーカーで代替することを特徴とする請求項５６に記載の薄膜式音源出力装置。
【請求項６４】
前記薄膜は、任意の軟性又は弾性材質を有する材料で作られていることを特徴とする請求項５６に記載の薄膜式音源出力装置。
【請求項６５】
前記薄膜は、各種類型の音源出力装置或いは各種類型の音声関連製品の音源出力装置に応用することを特徴とする請求項５６に記載の薄膜式音源出力装置。
【請求項６６】
一個以上のスピーカー単体及びイヤホン構成部材によって組成され、前記イヤホン構成部材の内側面・外側面の任意の一方の任意の一箇所又は複数箇所に一個以上の薄膜を設置したことを特徴とする薄膜式音源出力装置。
【請求項６７】
前記薄膜の設置方式は、一個以上の薄膜を少なくとも一種類以上の形式で任意の適当な位置に結合し、且つ相互に組み合わせて応用し、各種類型のイヤホンに等価実施することを特徴とする請求項６６に記載の薄膜式音源出力装置。
【請求項６８】
前記薄膜は、スピーカー単体とイヤホンケースの間の任意の一箇所又は複数箇所に設置することを特徴とする請求項６６に記載の薄膜式音源出力装置。
【請求項６９】
前記薄膜は、イヤホンネットカバーとスピーカー単体の間の任意の一箇所又は複数箇所に設置することを特徴とする請求項６６に記載の薄膜式音源出力装置。
【請求項７０】
前記薄膜は、イヤホンネットカバー外側面の任意の一箇所又は複数箇所に設置することを特徴とする請求項６６に記載の薄膜式音源出力装置。
【請求項７１】
前記イヤホン構成部材には、一個以上の通気孔を開設し、前記通気孔の内側面又は外側面の任意の一方の任意の一箇所又は複数箇所に一個以上の薄膜を設置することを特徴とする請求項６６に記載の薄膜式音源出力装置。
【請求項７２】
前記イヤホン構成部材は、イヤホンケース・イヤホン管体・耳掛け式管体又はその他中空の構造体であることを特徴とする請求項７１に記載の薄膜式音源出力装置。
【請求項７３】
前記薄膜は、少なくとも一個以上の薄膜を音源出力装置に結合した構造を、複合材料一体射出成型方式で設置されていることを特徴とする請求項６６に記載の薄膜式音源出力装置。
【請求項７４】
前記薄膜は、任意の軟性又は弾性材質を有する材料で作られていることを特徴とする請求項６６に記載の薄膜式音源出力装置。
【請求項７５】
前記スピーカー単体は、カバー付きスピーカーで代替することを特徴とする請求項６６に記載の薄膜式音源出力装置。
【請求項７６】
前記スピーカー単体は、正方向又は反対方向にイヤホン内に設置することを特徴とする請求項６６に記載の薄膜式音源出力装置。